(57)【要約】【課題】エレベータの予備電力を有効活用することができるエレベータシステムを提供する。【解決手段】エレベータを駆動する交流電源１からの電力またはエレベータ駆動時の回生電力を蓄積し、非常時にはエレベータ駆動用のバックアップ電源となる電力蓄積部１５と、電力蓄積部１５に蓄積された電力を他の電力設備に供給するためのインタフェースとなる電力供給部４０と、電力蓄積部１５に蓄積された電力を電力供給部４０に供給するか否かを切り替える電力供給用切替スイッチ１７と、電力供給用切替スイッチ１７の切替え制御を実行する切替判断制御部１９とを備える。切替判断制御部１９は、乗場に設置されたボタンまたは乗りかご内に設置されたボタンが所定操作された場合に、電力供給用切替スイッチ１７を電力供給部４０側に切り替えて電力供給部４０を使用可能状態にする。【選択図】図１
2014172710.tif 000002
【特許請求の範囲】
【請求項１】
エレベータを駆動する交流電源からの電力またはエレベータ駆動時の回生電力を蓄積し、非常時にはエレベータ駆動用のバックアップ電源となる電力蓄積部と、
前記電力蓄積部に蓄積された電力を他の電力設備に供給するためのインタフェースとなる電力供給部と、
前記電力蓄積部に蓄積された電力を前記電力供給部に供給するか否かを切り替える切替スイッチと、
前記切替スイッチの切り替え制御を実行する切替判断制御部と、
を備え、
前記切替判断制御部は、乗場に設置されたボタンまたは乗りかご内に設置されたボタンが所定操作された場合に、前記切替スイッチを前記電力供給部側に切り替えて当該電力供給部を使用可能状態にすることを特徴とするエレベータシステム。
【請求項２】
前記電力供給部の近傍に発光部を備え、
当該電力供給部が使用可能状態になった場合に前記発光部を点灯させることを特徴とする請求項１に記載のエレベータシステム。
【請求項３】
前記電力供給部は、エレベータ乗場または乗りかごに設けられ、前記他の電力設備と電気的に接続するコンセントであることを特徴とする請求項１または２に記載のエレベータシステム。
【発明の詳細な説明】
【技術分野】
【０００１】
本発明の実施形態は、エレベータシステムに関する。
【背景技術】
【０００２】
従来、エレベータ駆動用として予備電源（二次電池等）を設け、商用電源が停電した時に予備電源によりエレベータを駆動するエレベータシステムがある。また、夜間等の時間帯に電力を電力蓄積装置に蓄積させ、昼の時間帯に放電させてエレベータを駆動するエレベータシステムも知られている（例えば、特許文献１）。
【先行技術文献】
【特許文献】
【０００３】
【特許文献１】特開２０００−２５５９１８号公報
【発明の概要】
【発明が解決しようとする課題】
【０００４】
しかし、従来は、これら予備電源や電力蓄積装置の電力は、余裕がある場合であっても、エレベータの駆動用にのみ利用されており、エレベータ以外のビル施設や個人用として利用することはできなかった。
【０００５】
本発明は上記の事情に鑑み、エレベータの予備電力を有効活用することができるエレベータシステムを提供することを目的としている。
【課題を解決するための手段】
【０００６】
上記の目的を達成するために本発明の実施形態は、エレベータを駆動する交流電源からの電力またはエレベータ駆動時の回生電力を蓄積し、非常時にはエレベータ駆動用のバックアップ電源となる電力蓄積部と、電力蓄積部に蓄積された電力を他の電力設備に供給するためのインタフェースとなる電力供給部と、電力蓄積部に蓄積された電力を電力供給部に供給するか否かを切り替える切替スイッチと、切替スイッチの切り替え制御を実行する切替判断制御部と、を備える。切替判断制御部は、乗場に設置されたボタンまたは乗りかご内に設置されたボタンが所定操作された場合に、切替スイッチを電力供給部側に切り替えて電力供給部を使用可能状態にする。
【図面の簡単な説明】
【０００７】
【図１】実施形態によるエレベータシステムの構成を示すブロック図。
【図２】実施形態によるエレベータシステムの動作を示すフローチャート。
【図３】電力供給部および発光部の取付位置を示す説明図。
【図４】電力供給部および発光部の他の取付位置を示す説明図。
【図５】電力供給部および発光部のさらに他の取付位置を示す説明図。
【図６】電力供給部および発光部の構成を示す説明図。
【図７】他の実施形態によるエレベータシステムが適用されたエレベータホールの概略構成図。
【発明を実施するための形態】
【０００８】
《第１の実施形態》
図１は、エレベータシステムの一実施形態を示すブロック図である。
【０００９】
図示のエレベータシステム１００は、三相交流電源１により電動機２を駆動して巻上機３を動作させることにより、乗りかご４と釣合おもり５とをつるべ式に移動制御するもので、エレベータ制御装置１０によって制御されている。巻上機３の回転状態はエンコーダ６により検出され、その回転検出信号はエレベータ制御装置１０に出力されている。また、乗りかご４には、荷重センサ７が設けられており、その荷重検出信号がエレベータ制御装置１０に出力されている。
【００１０】
エレベータ制御装置１０は、その機能上、コンバータ回路１１と、インバータ回路１２と、インバータ制御部１３と、電流検出部１４とを備えている。また、このエレベータ制御装置１０は、電力蓄積部１５と、充放電回路１６と、電力供給用切替スイッチ１７と、エレベータ駆動用切替スイッチ１８と、切替判断制御部１９と、駆動制御部２０と、群管理制御部２１と、直流／交流変換部２２を備えている。
【００１１】
コンバータ回路１１は、三相交流電源１から供給される三相交流を一旦、直流に変換する。インバータ回路１２は、コンバータ回路９から出力される直流を再び所望の周波数、所望の電圧を持つ三相交流に変換して電動機２に供給する。インバータ制御部１３は、電流検出部１４からの電流検出信号と、エンコーダ６からの回転検出信号と、駆動制御部２０からの駆動制御信号を入力してインバータ回路１２を最適制御する。電流検出部１４は、インバータ回路１２の出力信号を監視し電流検出信号をインバータ制御部１３に供給する。
【００１２】
電力蓄積部１５は、電気二重層キャパシタ（Electric double-layer capacitor、EDLC）等の蓄電効率の高い大容量の蓄電池で構成することができる。充放電回路１６は、コンバータ回路１１の回生運転時の出力電圧を入力して電力蓄積部１５を充電させる一方、
充放電回路１６は、エレベータを駆動する三相交流電源１からの電力またはエレベータ駆動時の回生電力を電力蓄積部１５に充電させる機能、および非常時にはエレベータ駆動用のバックアップ電源として、および電力供給部４０を介して他の電力設備が利用できるように放電させる機能を有する。
【００１３】
電力供給用切替スイッチ１７は、停電時等において電力蓄積部１５に蓄積された電力を外部の電力設備で利用できるように電力供給部４０側に切替えるスイッチである。
【００１４】
エレベータ駆動用切替スイッチ１８は、三相交流電源１の電力をエレベータ駆動側に供給するか、電力蓄積部１５側に供給して蓄電させるかを選択切替するスイッチである。
【００１５】
切替判断制御部１９は、乗場制御装置３０からの切替指令、乗りかご４の荷重センサ７からの荷重信号、駆動制御部２０からのエレベータ駆動指令、および群管理制御部からの他号機の運転状態信号に基づいて電力供給部４０側に電力供給用切替スイッチ１７を切替るか否かを判断する。
【００１６】
駆動制御部２０はインバータ制御部１３および切替判断制御部１９に対してエレベータ駆動指令を出力する。
【００１７】
群管理制御部２１は、他号機の駆動状態を入力してエレベータの群管理を実行する。
【００１８】
直流／交流変換部２２は、電力蓄積部１５に蓄積された直流電力を交流電力に変換して電力供給部４０へ供給する。なお、電力供給部４０に直流負荷が接続される場合にはこの直流／交流変換部２２を介さずに直接、電力供給部４０に直流電力が供給される。
【００１９】
直流／交流変換部２２は、電力供給用切替スイッチ１７が電力供給部４０側に切替えられて電力蓄積部１５に蓄積された直流電力を交流電力に変換して電力供給部４０であるコンセントに供給する。
【００２０】
乗場制御装置３０は、乗場押しボタンが操作された場合に乗場呼びを登録するとともに、乗場押しボタンが電力切替用の所定操作がされた場合には切替指令をエレベータ制御装置１０に出力する。切替
電力供給部４０は、図３〜図６に示すように、エレベータ乗場５１や乗りかごに設けられたコンセント等で構成できる。また、図７に示すように、乗場５１の天井等に設けられた照明装置７１や換気ファン７２等で構成できる。
【００２１】
発光部４１は、図３〜図６に示すように、電力供給部４０の近傍に設けられ、コンセントが使用可能状態のとき、点灯して使用可能状態である旨を報知する。また、その表面には、図６に示すように、例えば、“電源”等の文字が記載されており、“電源”の位置を報知可能になっている。
【００２２】
次に、エレベータシステムの一実施形態の動作を図２のフローチャートを参照しつつ説明する。
【００２３】
切替判断制御部１９では、三相交流電源１から電力供給がされているとき（ステップＳ１ＹＥＳ）、乗場の乗場押しボタン４３から電力切替用の所定操作がされているかどうかが監視される（ステップＳ２）。所定の切替操作としては、所定の複数の押しボタンを同時に操作したり、押しボタンから暗号に相当する番号を入力したり等、管理者のみが知っている特殊な操作である。なお、キーボックス等に専用のボタンを設けるようにしても良い。乗場で所定の切替操作がされていない場合には、電力供給用切替スイッチ１７に対する切替指令は出力されず、通常通りのエレベータ運行が実行される（ステップＳ３）。切替操作がされている場合には、電力蓄積部１５からの電力供給がされるように切替指令を電力供給用切替スイッチ１７に出力する。これによって、電力供給用切替スイッチ１７が電力供給部４０側に切り替えられ、他の電力設備への電力供給が可能になる（ステップＳ４，Ｓ５）。この場合、電力供給部４０がＡＣコンセントである場合には、直流／交流変換部２２を介して電力蓄積部１５の直流電力が交流電力に変換されて供給される。
【００２４】
一方、停電発生等、三相交流電源１から電力供給がされていないとき（ステップＳ１ＮＯ）、切替判断制御部１９は、荷重センサ７からの荷重信号に基づいてかご内に人が残されているかどうかを判定する（ステップＳ６）。残されている場合には、電力蓄積部１５の蓄積電力を用いてエレベータを駆動し、最寄階に移動してかごを停止させて戸開する（ステップＳ７）。戸開ボタンが押されている間、戸開を継続する（ステップＳ８，Ｓ９）。かご内から人が残されていない場合には、ステップＳ４に移行し、電力供給用切替スイッチ１７が電力供給部４０側に切り替えられ、他の電力設備への電力供給が可能になる（ステップＳ５）。
【００２５】
＜電力供給部４０の具体的な設置位置＞
図３は電力供給部４０をエレベータ乗場５１の乗場操作盤４２に設けた例、図４は電力供給部４０をエレベータ乗場５１の三方枠５３の乗場操作盤４２に設けた例、図５は電力供給部４０をエレベータ乗りかごのかご操作盤６２に設けた例を示している。通常時には、この電力供給部４０は使用不可であるが、エレベータ管理者等の権限のある者が乗場押しボタン４３（またはかご押しボタン６３）からの特殊なボタン操作をすることによって、電力供給部４０を使用可能にすることができる。電力供給部４０が使用可能になると、発光部４１が点灯して電力供給可能な状態である旨、および電力供給部（コンセント）の位置を報知する。この場合、図６に示すように、電力供給部４０の近傍に設けられた発光部４１の表面には“電源”の文字が表示されているので、停電時等においても、電源の設置箇所を容易に理解させることができる。
【００２６】
このように、実施形態によれば、三相交流電源１から電動機２に電力が供給されている通常時において、乗場から所定の切替操作が実行されると、電力蓄積部１５からの電力が電力供給部４０へ供給されるので、電力供給部４０であるコンセントに負荷を接続することによって、予備電源として使用可能となる。このため、従来、エレベータ駆動用のバックアップ電源としてのみ使用されていた電力蓄積部１５を、コンセントを介して他の電力設備へのバックアップ電力として使用することができ、予備電力の有効利用が可能となる。
【００２７】
＜電力供給部４０の他の例＞
図７に示すように、電力供給部４０の他の例としては、照明装置７１や換気ファン７２に対するバックアップ用として使用する。停電時や地震時等の非常時には、建物の電力供給が遮断される場合がある。このような非常時においても乗場操作盤４２の乗場押しボタン４３を所定操作することによって乗場制御装置３０から切替判断制御部１９に対して切替指令が出力される。これに応答して切替判断制御部１９は電力供給用切替スイッチ１７を電力供給部４０側に切替え、これによって、照明装置６１や換気ファンが駆動させる。
【００２８】
このように、従来、停電時や地震時等の非常時において、エレベータ駆動用バックアップ電源としてのみ使用されていた電力蓄積部１５を、建物設備へのバックアップ電力として使用することが可能となる。
【００２９】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３０】
１…三相交流電源
２…電動機
３…巻上機
４…乗りかご
５…釣合おもり
６…エンコーダ
７…荷重センサ
１０…エレベータ制御装置
１１…コンバータ回路
１２…インバータ回路
１３…インバータ制御部
１４…電流検出部
１５…電力蓄積部
１６…充放電回路
１７…電力供給用切替スイッチ
１８…エレベータ駆動用切替スイッチ
１９…切替判断制御部
２０…駆動制御部
２１…群管理制御部
３０…乗場制御装置
４０…電力供給部
４１…発光部
４２…乗場操作盤
４３…乗場押しボタン
６２…かご操作盤
６３…かご押しボタン
７１…照明装置
７２…換気ファン
１００…エレベータシステム
【図１】
2014172710.tif 000003
【図２】
2014172710.tif 000004
【図３】
2014172710.tif 000005
【図４】
2014172710.tif 000006
【図５】
2014172710.tif 000007
【図６】
2014172710.tif 000008
【図７】
2014172710.tif 000009
【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
エレベータを駆動する交流電源からの電力またはエレベータ駆動時の回生電力を蓄積し、非常時にはエレベータ駆動用のバックアップ電源となる電力蓄積部と、
前記電力蓄積部に蓄積された電力を他の電力設備に供給するためのインタフェースとなる電力供給部と、
前記電力蓄積部に蓄積された電力を前記電力供給部に供給するか否かを切り替える切替スイッチと、
前記切替スイッチの切り替え制御を実行する切替判断制御部と、
を備え、
前記電力供給部は、エレベータ乗場または乗りかごに設けられ、前記他の電力設備と電気的に接続するコンセントであり、
前記切替判断制御部は、乗場に設置されたボタンまたは乗りかご内に設置されたボタンが所定操作された場合に、前記切替スイッチを前記電力供給部側に切り替えて当該電力供給部を使用可能状態にすることを特徴とするエレベータシステム。
【請求項２】
前記電力供給部の近傍に発光部を備え、
当該電力供給部が使用可能状態になった場合に前記発光部を点灯させることを特徴とする請求項１に記載のエレベータシステム。
【手続補正２】
【補正対象書類名】明細書
【補正対象項目名】０００６
【補正方法】変更
【補正の内容】
【０００６】
上記の目的を達成するために本発明の実施形態は、エレベータを駆動する交流電源からの電力またはエレベータ駆動時の回生電力を蓄積し、非常時にはエレベータ駆動用のバックアップ電源となる電力蓄積部と、電力蓄積部に蓄積された電力を他の電力設備に供給するためのインタフェースとなる電力供給部と、電力蓄積部に蓄積された電力を電力供給部に供給するか否かを切り替える切替スイッチと、切替スイッチの切り替え制御を実行する切替判断制御部と、を備える。電力供給部は、エレベータ乗場または乗りかごに設けられ、他の電力設備と電気的に接続するコンセントである。切替判断制御部は、乗場に設置されたボタンまたは乗りかご内に設置されたボタンが所定操作された場合に、切替スイッチを電力供給部側に切り替えて電力供給部を使用可能状態にする。